(57)【要約】      （修正有）【課題】下ケースの固定部への取付けをすばやくし、下ケースの固定部への取付けで下ケースの固定部への取付け状態を保持し、かつ上ケースと下ケースで制御部を保護した取り付け構造を提供する。【解決手段】下ケース４と固定部６を着脱自在に係止する係止手段を備える。係止手段による係止及び係止解除は、非係止状態で撓み変形することを経て係止状態となり、且つ、係止状態から撓み変形することを経て非係止状態となるように構成される。収納ケース３の上ケース５に、固定部６に固定手段により着脱自在に固定される止め部と、係止手段の撓み変形を阻害するための撓み変形阻害部が備えられる。止め部が固定部６に固定された状態で、係止手段の撓み変形が撓み変形阻害部で阻害され、且つ、止め部が固定部６から外された状態で、係止手段の撓み変形の阻害が解除される。【選択図】図１
2013067942.tif 000002
【特許請求の範囲】
【請求項１】
便器装置で用いる電気機器の制御部を収納する収納ケースの便器装置への取付け構造であって、
前記収納ケースが制御部を設置する下ケースと、下ケースに被せる上ケースとで構成され、前記下ケースと前記便器装置側の固定部を着脱自在に係止するための係止手段を備え、
前記係止手段による係止及び係止解除は、非係止状態で撓み変形することを経て係止状態となり、且つ、係止状態から撓み変形することを非係止状態となるように構成され、
前記収納ケースの上ケースに、前記固定部に固定手段により着脱自在に固定される止め部と、前記係止手段の撓み変形を阻害するための撓み変形阻害部が備えられ、
前記止め部が前記固定部に固定された状態で、前記係止手段の撓み変形が前記撓み変形阻害部で阻害され、且つ、前記止め部が前記固定部から外された状態で、前記係止手段の撓み変形の阻害が解除される
ことを特徴とする収納ケースの便器装置への取付け構造。
【請求項２】
下ケースに設けられた係止孔と、前記係止孔が上方から嵌め込まれることで、係止孔を通過して先端が係止孔の縁部の一部に引っ掛けられる前記固定部から突出する撓み変形する係止爪で前記係止手段が構成され、前記下ケースに前記上ケースを上方から被せることで、前記撓み変形阻害部が係止爪の係止部分と反対側の面と対向する位置に配置されることを特徴とする請求項１記載の収納ケースの便器装置への取付け構造。
【請求項３】
前記固定手段が、前記抜け止め部と前記固定部を固定するねじであることを特徴とする請求項１又は請求項２記載の収納ケースの便器装置への取付け構造。
【請求項４】
前記固定部と前記止め部との間に前記下ケースを介在させて固定することを特徴とする請求項１乃至請求項３のいずれか一項記載の収納ケースの便器装置への取付け構造。
【発明の詳細な説明】
【技術分野】
【０００１】
本発明は、収納ケースの便器装置への取付け構造に関するものである。
【背景技術】
【０００２】
従来から、便器装置で用いる温水洗浄装置の制御部を収納するケースを固定部に取付ける技術が特許文献１により知られている。
【０００３】
この特許文献１においては、ケースは上面側が開口したもので、ケースは固定部にねじで取付けられる。
【０００４】
このケースの上面開口部は開口したままの状態で、上面開口部を閉じるための上ケースは存在しない。
【先行技術文献】
【特許文献】
【０００５】
【特許文献１】特開平８−３２６１２０号公報
【発明の概要】
【発明が解決しようとする課題】
【０００６】
前記従来例は、トイレルームという水が存在する環境下に設置される便器装置に取付けられるケースは、上面開口部を閉じるための上ケースは存在しないので、何らかのトラブルでケースの上面開口部から水が浸入して制御部に水が触れるおそれがある。
【０００７】
また、制御部の保守、点検などを行うには、トイレ空間という狭く、且つ、水がすぐ近くにあるという環境下で、制御部を収納するケースを固定部に取付けたり、取り外したり作業を行う必要がある。
【０００８】
しかし、従来は、トイレ空間という狭い空間で、ドライバーを用いたねじによる固定作業、ねじの取外し作業を行うには、作業がし難く且つ作業に時間がかかる。
【０００９】
また、制御部を収納するケースは上面開口部が開口しているので、狭い空間におけるドライバーを用いたねじによる煩わしい作業中に、誤ってドライバーが制御部に接触してトラブルが発生するおそれがある。
【００１０】
更に、ねじによる固定作業、ねじの取外し作業に時間がかかるため、近くにある水がケースの上面開口部から内部に入るおそれがある。
【００１１】
本発明の目的は、下ケースの固定部への取付けがすばやくでき、また、下ケースの固定部への取付けで、下ケースの固定部への取付け状態を保持でき、更に、上ケースと下ケースで制御部の保護が可能となる収納ケースの便器装置への取付け構造を提供するにある。
【課題を解決するための手段】
【００１２】
本発明は、便器装置で用いる電気機器の制御部を収納する収納ケースの便器装置への取付け構造であって、前記収納ケースが制御部を設置する下ケースと、下ケースに被せる上ケースとで構成され、前記下ケースと前記便器装置側の固定部を着脱自在に係止するための係止手段を備え、前記係止手段による係止及び係止解除は、非係止状態で撓み変形することを経て係止状態となり、且つ、係止状態から撓み変形することを経て非係止状態となるように構成され、前記収納ケースの上ケースに、前記固定部に固定手段により着脱自在に固定される止め部と、前記係止手段の撓み変形を阻害するための撓み変形阻害部が備えられ、前記止め部が前記固定部に固定された状態で、前記係止手段の撓み変形が前記撓み変形阻害部で阻害され、且つ、前記止め部が前記固定部から外された状態で、前記係止手段の撓み変形の阻害が解除されることを特徴とする．
また、下ケースに設けられた係止孔と、前記係止孔が上方から嵌め込まれることで、係止孔を通過して先端が係止孔の縁部の一部に引っ掛けられる前記固定部から突出する撓み変形する係止爪で前記係止手段が構成され、前記下ケースに前記上ケースを上方から被せることで、前記撓み変形阻害部が係止爪の係止部分と反対側の面と対向する位置に配置されることが好ましい。
【００１３】
また、前記固定手段が、前記抜け止め部と前記固定部を固定するねじであることが好ましい。
【００１４】
また、前記固定部と前記止め部との間に前記下ケースを介在させて固定することが好ましい。
【発明の効果】
【００１５】
本発明は、係止手段により下ケースと固定部を着脱自在に係止するので、下ケースの固定部への取付けがすばやくできる。また、上ケースの固定部への固定により、同時に係止手段による係止状態を保持できる。また、上ケースと下ケースよりなる収納ケース内に制御部が収納されるので、制御部を外部に対して上ケースと下ケースで保護できる。
【図面の簡単な説明】
【００１６】
【図１】本発明の一実施形態の全体斜視図である。
【図２】同上の収納ケースを機器取付け基台に取付けた状態の断面図である。
【図３】同上の要部拡大断面図である。
【図４】同上の要部斜視図である。
【図５】同上の別の方向から見た斜視図である。
【図６】同上の下ケースを機器取付け基台に取付けた状態の断面図である。
【発明を実施するための形態】
【００１７】
以下、本発明を添付図面に示す実施形態に基づいて説明する。
【００１８】
図１には便器装置１の全体を示す斜視図が示してあり、この便器装置１は、ボウル１４を有する便器本体１５と、便器装置１で用いる電気機器とを備えている。
【００１９】
便器装置１で用いる電気機器としては、ボウル１４への洗浄水の供給、供給停止を行うための電磁弁などの電気機器、人体の局部に温水を噴出して洗浄するための温水洗浄装置、人体の局部を乾燥するための温風発生装置、脱臭装置等を挙げることができる。
【００２０】
また、ボウル１４に接続されるトラップがフレキシブルなターントラップ式のものの場合は、フレキシブルなターントラップを回動させるモータも便器装置１で用いる電気機器に含まれる。
【００２１】
これらの電気機器は、便器本体１５の外郭内の主として後部に配設される。
【００２２】
便器本体１５内部にはボウル１４を支持し且つ設置床に固定される支持フレーム（図示せず）が備えられ、支持フレームの後上部に機器取付け基台１６が取付けられ、機器取付け基台１６上に、前記便器装置１で用いる電気機器の全部又はいくつかが取付けられる。
【００２３】
機器取付け基台１６には、更に、便器装置１で用いられる電気機器を制御するための全部の制御部２又は一部の制御部２を収納する収納ケース３が取付けられる。したがって、本実施形態においては、機器取付け基台１６が収納ケース３を固定するための固定部６を構成する。
【００２４】
そして、機器取付け基台１６は着脱自在な上カバー４０で覆われる。この上カバー４０は図１に示されるように、便器本体１５の後部における外郭の一部を構成する。
【００２５】
図２乃至図６に示されるように、機器取付け基台１６の底板１７から複数の突部（実施形態では支柱１８）が突出形成され、この突部（以下支柱１８という）上に収納ケース３が載設されて取付けられる。
【００２６】
複数の支柱１８のうちの幾つかの支柱１８（図の実施形態では２個の支柱１８）の上面部には、図３に示されるように上方に開口するねじ孔又は下孔３８が形成される。また、他の幾つかの支柱１８（図の実施形態では２個の支柱１８）には、図５に示されるように上端面中央から上方に嵌め込み突起３０が突出形成される。
【００２７】
図２乃至図６に示されるように、ねじ孔又は下孔３８が形成された支柱１８の隣りに、上方に向けて係止爪１２が突出形成される。
【００２８】
係止爪１２は、撓み変形可能な板状部１９の上端部の外面側に略直角三角形状をした爪部２０を突出形成することで構成される。
【００２９】
収納ケース３は、図２に示されるように、上面が開口した下ケース４と、この下ケース４に被せて上面開口を覆う上ケース５とで構成され、上ケース５と下ケース４は難燃性ＡＢＳのような難燃性部材で構成される。
【００３０】
下ケース４内には、制御部２が取付けられる。制御部２は回路基板２１に各種電子機器２２を実装して構成され、図２、図３に示されるように、回路基板２１が下ケース４の底板から上方に突出するボス２３にねじ２４により固定される。
【００３１】
下ケース４の両側部には外側方に向けて取付け横片２５が突出形成され、この取付け横片２５には係止孔１１と、ねじ挿通孔２６が設けられる。係止孔１１は係止爪１２の爪部２０が挿通できる大きさに形成される。
【００３２】
そして、本実施形態においては、下ケース４に設けられた上下に貫通する係止孔１１と、固定部６から突出する撓み変形する係止爪１２で係止手段７が構成される。
【００３３】
添付図面に示す実施形態では取付け横片２５の両側縁と下ケース４の側面とを一体に連結する補強片２７が形成される。
【００３４】
また、下ケース４には図５に示されるように、側面から外側方に向けて受部２８が突出形成され、受部２８に嵌め込み突起３０を嵌め込むための嵌め込み孔２９が形成される。
【００３５】
更に、下ケース４には図５に示されるように、側面から外側方に向けて接続部３１が突出形成され、この接続部３１には上下に貫通する第２係止孔３２が形成される。
【００３６】
図２に示されるように、上ケース５は下面が開口したもので、図２乃至図５に示されるように、両側部に下方に向けて脚部３３が突出形成される。脚部３３の下端部には、外側方に向けて板状をした止め部９が突出形成され、止め部９の先端部に撓み変形阻害部１０が形成される。止め部９には孔３４が形成される（図３参照）。
【００３７】
また、上ケース５には図５に示されるように、下方に向けて第２係止爪３５が突出形成される。この第２係止爪３５は、撓み変形可能な板状部３６の下端部の外面側に略直角三角形状をした第２爪部３７を突出形成することで構成される。
【００３８】
第２係止孔３２は第２係止爪３５の第２爪部３７が挿通できる大きさに形成される。
【００３９】
制御部２収納する収納ケース３の固定部６である機器取付け基台１６への取付けは以下のようにして行われる。
【００４０】
まず、図６のように、下ケース４を係止孔１１と係止爪１２よりなる係止手段７で機器取付け基台１６に取付ける。すなわち、下ケース４を、機器取付け基台１６の上方に位置させ、係止孔１１を係止爪１２の真上に位置させる。この状態で、係止孔１１を係止爪１２に上方から嵌め込み、係止爪１２の先端の爪部２０を係止孔１１の縁部の一部に引っ掛け、同時に、複数の支柱１８に取付け横片２５、受部２８を載置する。更に、受部２８の嵌め込み孔２９を嵌め込み突起３０に嵌め込む。
【００４１】
ここで、係止孔１１は、孔縁の一部が爪部２０の傾斜面を内側に押して板状部１９を内側に撓み変形させつつ係止爪１２に嵌め込まれ、係止孔１１が爪部２０を通過した時点で板状部１９が元の状態に弾性復元し、爪部２０が係止孔１１の縁部の一部に引っ掛かる。
【００４２】
本実施形態における係止手段７による係止は、係止爪１２が係止孔１１に係止していない非係止状態で係止爪１２が撓み変形することを経て弾性復元することで係止状態となる。
【００４３】
本実施形態は、下ケース４の取付けに当たり、従来のようにねじによる固定を必要とせず、係止手段７による上方からの係止でワンタッチで簡単且つ迅速に下ケース４を機器取付け基台１６に取付け（仮取付け）保持できる。
【００４４】
このように、トイレルームという狭い空間において上方からの係止作業という簡単な方式で下ケース４を取付けることができるので、下ケース４の取付けがすばやくできる。
【００４５】
しかも、下ケース４の取付けの際にドライバを用いた取付け作業をしないので、トイレルームという作業がし難い狭い空間で下ケース４の取付け作業をする場合でも、ドライバが誤って回路基板２１や電子機器２２に接触するというような事態が生じない。
【００４６】
したがって、ドライバ操作中にドライバが誤って制御部２の回路基板２１や電子機器２２に触れて電気的トラブルが発生するのを抑制できる。
【００４７】
また、下ケース４の取付けが係止手段７による係止ですばやくできるので、付近に水が存在するというトイレルーム内の環境下で、下ケース４の上面開口から内部に水が入るリスクを軽減できる。
【００４８】
下ケース４内に設置されている制御部２には上ケース５を取付ける前にハーネス等により電気機器と電気的に接続する。
【００４９】
その後、図２のように、下ケース４に上ケース５を被せて下ケース４の上面開口を覆う。下ケース４に上ケース５を被せると、図５のように、第２係止爪３５の第２爪部３７が第２係止孔３２を挿通して第２爪部３７が第２係止孔３２の縁部に係止する。また、図２乃至図５のように、撓み変形阻害部１０が係止爪１２の係止部分と反対側の面と対向する位置に配置され、変形阻害部１０が係止爪１２の係止部分（爪部２０）と反対側の面と対向する位置に配置する。また、上ケース５の止め部９を、支柱１８に載置されている下ケース４の取付け横片２５上に載置する。
【００５０】
これにより、爪部２０や下ケース４に爪部２０の係止が外れるような外力が作用しても係止爪１２が撓むのが阻害され、爪部２０の係止が外れず、また、下ケース４が機器取付け基台１６に対して横方向にずれるのが防止される。
【００５１】
このように下ケース４が機器取付け基台１６に対して横方向にずれるのが防止されるので、止め部９に設けた孔３４と、取付け横片２５に設けたねじ挿通孔２６と、支柱１８に設けたねじ孔又は下孔３８が上下に正しい位置関係で連通し、位置決め状態が維持される。
【００５２】
このように孔３４、ねじ挿通孔２６、ねじ孔又は下孔３８を上下に位置決め連通した状態で、図３のように、孔３４から固定手段８を構成するねじ１３を挿入し、ねじ挿通孔２６を通して支柱１８に設けたねじ孔又は下孔３８に固定する。
【００５３】
これにより、上ケース５の止め部９が固定部６との間に下ケース４の取付け横片２５を介在した状態でねじ固定される。
【００５４】
本実施形態は、トイレ空間という狭くて作業がし難い環境下であっても、前記のように、孔３４、ねじ挿通孔２６、ねじ孔又は下孔３８を上下に位置決め連通した状態が維持されているので、ねじ１３による固定作業を容易に行うこと可能となる。
【００５５】
また、ねじ１３による固定作業は、上ケース５の取付け時に行うので、下ケース４の上面開口が上ケース５で覆われている状態で行われる。このため、ねじ１３を操作するドライバが下ケース４に設置した制御部２の回路基板２１や電子機器２２に誤って触れて電気的トラブルが発生するおそれがない。
【００５６】
また、トイレルームという狭い空間で且つ水が近くに存在する環境下におけるねじ操作作業が、下ケース４の上面開口が上ケース５で覆われている状態で行われるので、ねじ操作に時間がかかっても、下ケース４の上面開口から内部に水が浸入することがない。
【００５７】
前記のようにして下ケース４と上ケース５よりなる収納ケース３が固定部６を構成する機器取付け基台１６に取付けられる。
【００５８】
収納ケース３を機器取付け基台１６に取付けた状態で、上カバー４０により、電気機器や収納ケース３を取付けた機器取付け基台１６を覆う。
【００５９】
本実施形態において制御部２を直接機器取付け基台１６に取付けず、制御部２を収納する収納ケース３を機器取付け基台１６に取付けるので、回路基板２１等が発火した場合に備えての対策として収納ケース３を難燃性材料で形成すればよい。したがって、機器取付け基台１６、上カバー４０全体を難燃性材料で形成する必要がなく、コストの高い難燃性材料の使用量が少なくでき、コスト減を図ることが可能となる。
【００６０】
一方、制御部２の保守、点検に当っては、上カバー４０を外し、ねじ１３を取外し、次に、第２爪部３７を押して第２係止爪３５を撓ませた状態で上ケース５を上方に取り外す。
【００６１】
上ケース５を取り外すと、変形阻害部１０が上カバー４０と一緒に上方に引き上げられる。これにより爪部２０の背方で係止爪１２の撓みを阻害していた変形阻害部１０が取り払われ、係止爪１２が撓み変形可能な状態となる。この状態で、爪部２０を内側に押して板状部１９を内側に撓み変形させた状態で下ケース４を上方に持ち上げ、係止孔１１を係止爪１２から抜き取る。係止孔１１が抜き取られて非係止状態となった係止爪１２は、弾性復元力により垂直姿勢に戻る。
【００６２】
このように本実施形態における係止手段７による係止解除は、係止爪１２が係止孔１１に係止している係止状態で係止爪１２が撓み変形することを経て弾性復元することで非係止状態となる。
【００６３】
取り外した下ケース４はトイレルームの外に持ち出して、制御部２の保守、点検を行うことが可能となる。
【００６４】
保守、点検が終わると、前述の下ケース４の取付けと同様にして下ケース４を係止手段７で係止して機器取付け基台１６に取付け、次に、上ケース５を下ケース４に取付け且つ上ケース５をねじ１３で機器取付け基台１６に取付ける。
【００６５】
前記例では、下ケース４を取り外して制御部２の保守、点検を行う例を示したが、軽微な保守、点検の場合、上ケース５のみを取外し、下ケース４は係止手段７で係止した状態のまま、下ケース４の上面開口に露出する制御部２の保守、点検を行うことも可能である。
【００６６】
この場合は、前記のように上ケース５を取り外した状態において、図６のように、下ケース４は係止手段７で係止した状態であるので、下ケース４を取付けた状態のまま、保守、点検が可能となる。
【００６７】
なお、上ケース５はねじ１３で機器取付け基台１６に固定するが、万一、ねじ１３固定を忘れた場合でも、上ケース５を下ケース４に係止により取付けるので、撓み変形阻害部１０で係止爪１２の撓み変形が阻害され、係止手段７の係止状態が維持される。したがって、保守、点検の際に、万一、ねじ１３による固定を忘れても、制御部２を設置した下ケース４が外れるのが防止される。
【００６８】
前記実施形態において、下ケース４に係止孔１１を形成し、機器取付け基台１６に係止爪１２を形成して係止手段７を構成したが、下ケース４に係止爪１２を形成し、機器取付け基台１６に係止孔１１を形成して係止手段７を構成してもよい。
【符号の説明】
【００６９】
１  便器装置
２  制御部
３  収納ケース
４  下ケース
５  上ケース
６  固定部
７  係止手段
８  固定手段
９  止め部
１０  変形阻害部
１１  係止孔
１２  係止爪
１３  ねじ
【図１】
2013067942.tif 000003
【図２】
2013067942.tif 000004
【図３】
2013067942.tif 000005
【図４】
2013067942.tif 000006
【図５】
2013067942.tif 000007
【図６】
2013067942.tif 000008